(57)【要約】【目的】  多チャンネル型電源重畳方式のカメラ駆動装置において、ＴＶカメラの電源系統をグループ化し、各グループに供給する直流電源を、遅延開閉装置を経由するなどして通電タイミングを変え、順番に起動する事で突入電流を分散して低く抑え、従来では使用出来なかった小電力型の直流安定化電源装置を使用可能にした装置を提供する。【構成】  複数のＴＶカメラ装置Ｃ１〜Ｃｎは、同軸ケーブルＫ１〜Ｋｎを介して、電源重畳方式カメラ駆動装置Ｍ１内のカメラ駆動装置Ｄ１〜Ｄｎにそれぞれ接続する。カメラ駆動装置Ｄ１〜Ｄｎは、数台を１単位として、複数のグループＧ１，Ｇ２として区分化する。グループＧ１のカメラ駆動装置Ｄ１〜Ｄ５は、直流安定化電源装置Ｐ１に直接接続し、グループＧ２のカメラ駆動装置Ｄ６〜Ｄｎは、遅延開閉装置Ｓ１を経由して直流安定化電源装置Ｐ１に接続する。【選択図】    図１
2009159702.tif 000002
【特許請求の範囲】
【請求項１】
電源重畳方式のＴＶカメラ装置Ｃ１〜Ｃｎ（但し、ｎ≧４）を同軸ケーブルＫ１〜Ｋｎにて各々接続して駆動するカメラ駆動装置Ｄ１〜Ｄｎを、３から５台を１単位として、複数の例えばグループＧ１，Ｇ２として分割し、各グループＧ１，Ｇ２単位毎に、直流電源の供給端を統合化した多チャンネル型電源重畳方式カメラ駆動装置。
【請求項２】
グループＧ１における直流電源の供給端を、直流安定化電源装置Ｐ１に直接接続し、次のグループＧ２における直流電源の供給端は、タイミングを遅延させて供給する遅延開閉装置Ｓ１を経由して直流安定化電源装置Ｐ１に接続した、請求項１の多チャンネル型電源重畳方式カメラ駆動装置。
【発明の詳細な説明】
【技術分野】
【０００１】
本発明は、電源重畳方式監視カメラシステムのカメラ駆動装置における直流安定化電源装置の応用技術に関するものである。
【背景技術】
【０００２】
図２は、従来の多チャンネル型電源重畳方式カメラ駆動装置およびＴＶカメラ装置の原理構成を示す要部ブロック図である。同図において、電源重畳方式のＴＶカメラ装置Ｃ１〜Ｃｎの電源投入は、電源重畳方式カメラ駆動装置Ｍ１内部の直流安定化電源装置Ｐ１を起動する事によって、各々カメラ駆動装置Ｄ１〜Ｄｎを経由して行っていた。
【０００３】
また、一般的にＴＶカメラ装置Ｃ１〜Ｃｎは、起動時に定常時の数倍もの電力を要するが、この時電圧は直ぐに一定の電圧に安定化するのに対して、電流は定常時の数倍の突入電流となって流入し、一定時間の後に定常負荷電流になる。従って、直流安定化電源装置Ｐ１を起動すると、ＴＶカメラ装置Ｃ１〜Ｃｎには、定常時の数倍もの突入電流が同じタイミングで流入する結果となる。この為に、直流安定化電源装置Ｐ１には、定常時の電流を供給出来るだけの定格電力を有する程度の物では起動出来ず、従って、定格電力値の数倍以上の電力を有する電源装置を使用しなくてはならなかった。
【０００４】
更に、ＴＶカメラ装置の接続台数が多くなる程、カメラ駆動装置Ｄ１〜Ｄｎに供給する直流安定化電源装置Ｐ１は、起動時と定常時の電力差が大きくなり、過大な供給電力を有する電源装置を使用する必要があり、この為に形状が大きくなりコスト高の要因になっていた。
【発明の開示】
【発明が解決しようとする課題】
【０００５】
本発明は、同じタイミングに集中する起動時の突入電流を低く抑える事が出来れば改善できることに着目し、ＴＶカメラ装置の起動タイミングを少しずつ遅延させる事によって、全体の突入電流を分散させる手段を解決の課題とし、低電力型の直流安定化電源装置の使用を可能にするものである。
【課題を解決するための手段】
【０００６】
本発明は、ＴＶカメラ装置の接続台数が多くなる程、直流安定化電源装置にとっては、起動時と定常時の電力差が大きくなり、反対に前記ＴＶカメラ装置の接続台数が少ない程、起動時と定常時の電力差が小さくなる事に着目し、前記ＴＶカメラ装置および前記ＴＶカメラ装置に対応するカメラ駆動装置を複数のグループ単位に分けて、前記グループ単位ごとに直流電源供給端を接続し、各前記グループ単位間の直流電源供給端を分離した。
【０００７】
グループ単位に分離した直流電源供給端への直流電源の投入タイミングを、突入電流が安定する時間、例えば数百ミリ秒間ずつ、遅延開閉器により遅延させながら順番に供給することにより、起動時の電力を分散させる手段を実現する。
【発明の効果】
【０００８】
以上説明した様に、本発明による電源重畳方式カメラ駆動装置は、遅延開閉装置を導入する事により、グループ単位で順番に起動する方式となり、前記電源重畳方式カメラ駆動装置内に使用する直流安定化電源装置は、一つのグループの突入電流を供給出来、且つ、定常時のＴＶカメラ装置の合計電力を駆動出来る電力値まで、直流安定化電源装置の冗長設計を軽減化し、その生産におけるコストの比率を下げる事に寄与し、また、形状面においても小型化する事が可能となり、資源の浪費を改善出来るという点においても社会的に有用である。
【発明を実施するための最良の形態】
【０００９】
従来はＴＶカメラ装置の定常時の合計電力値の数倍以上の電力供給能力を有する直流安定化電源装置が必要であったが、上記手段により、一グループの起動電力を有し、且つ、接続するＴＶカメラ装置の定常時の合計電力を有する電源まで、直流安定化電源装置の使用電力範囲を低下させることができることから、例えば、２グループに分割した場合には、従来の約二分の一にすることが可能になる。
【実施例】
【００１０】
以下、図面を参照して本発明をさらに詳しく説明する。図１は、本発明による多チャンネル型電源重畳方式カメラ駆動装置およびＴＶカメラ装置の原理構成を示す要部ブロック図である。同図において、ＴＶカメラ装置Ｃ１〜Ｃｎは、各々一本の同軸ケーブルＫ１〜Ｋｎによって、電源重畳方式カメラ駆動装置Ｍ１内部のカメラ駆動装置Ｄ１〜Ｄｎに接続する。次に、カメラ駆動装置Ｄ１〜Ｄｎを、数台単位のグループ単位に分割し、前記各グループ単位で直流電源の供給端を接続する。図１では、２つのグループＧ１，Ｇ２の例として説明する。
【００１１】
その上で、グループＧ１の直流電源の供給端は直流安定化電源装置Ｐ１に直接接続し、グループＧ２の直流電源の供給端は遅延開閉装置Ｓ１を経由して直流安定化電源装置Ｐ１に接続する。
【００１２】
一方、図３は、遅延開閉装置Ｓ１の概略構成を示すブロック図である。遅延開閉装置Ｓ１は、開閉器Ｓ１１と制御回路Ｓ１２および遅延回路Ｓ１３とから成る。直流安定化電源装置Ｐ１が起動し直流出力電圧が上昇すると、その情報を検知して遅延回路Ｓ１３は、予め設定した時間、例えば数百ミリ秒間の遅延をした後に、制御回路Ｓ１２に制御情報を伝達する。制御回路Ｓ１２は前記制御情報を受けて開閉器Ｓ１１をオフの状態からオンに切り換える。
【００１３】
この結果、直流安定化電源装置Ｐ１が起動した時、グループＧ１におけるカメラ駆動装置Ｄ１〜Ｄ５およびＴＶカメラ装置Ｃ１〜Ｃ５は、遅延することなく直流電源電圧が引加し突入電流が流入し、一定時間の後に定常動作の状態に至る。
【００１４】
他方のグループＧ２におけるカメラ駆動装置Ｄ６〜ＤｎおよびＴＶカメラ装置Ｃ６〜Ｃｎは、遅延開閉装置Ｓ１に設定した時間、例えば数百ミリ秒間だけ遅れて直流電源電圧が引加し突入電流が流入し、直流電源電圧が引加し定常動作に至る。
【００１５】
グループ１での突入電流の流入が終了した時点で、グループ２での突入電流の流入が開始する結果となり、突入電流の最大電流値を約二分の一に押さえる事ができる。
この様に、遅延開閉装置Ｓ１を導入する事により、グループ単位で順番に起動する方式となり、直流安定化電源装置Ｐ１は、一つのグループの突入電流を供給出来、且つ、定常時のＴＶカメラ装置の合計電力を駆動出来る電力を有すれば、電源重畳方式カメラ駆動装置Ｍ１の直流安定化電源装置Ｐ１として使用できる。
【図面の簡単な説明】
【００１６】
【図１】本発明による多チャンネル型の電源重畳方式カメラ駆動装置およびＴＶカメラ装置の原理構成を示す要部ブロック図である。
【図２】従来の多チャンネル型の電源重畳方式カメラ駆動装置およびＴＶカメラ装置の原理構成を示す要部ブロック図である。
【図３】遅延開閉装置Ｓ１の概略構成を示すブロック図である。
【符号の説明】
【００１７】
Ｍ１  多チャンネル型電源重畳方式カメラ駆動装置
Ｃ１  １台目のＴＶカメラ装置
Ｃ２  ２台目のＴＶカメラ装置
Ｃ３  ３台目のＴＶカメラ装置
Ｃ４  ４台目のＴＶカメラ装置
Ｃ５  ５台目のＴＶカメラ装置
Ｃ６  ６台目のＴＶカメラ装置
Ｃｎ  ｎ台目のＴＶカメラ装置
Ｋ１  同軸ケーブル
Ｋ２  同軸ケーブル
Ｋ３  同軸ケーブル
Ｋ４  同軸ケーブル
Ｋ５  同軸ケーブル
Ｋ６  同軸ケーブル
Ｋｎ  同軸ケーブル
Ｄ１  １台目のカメラ駆動装置
Ｄ２  ２台目のカメラ駆動装置
Ｄ３  ３台目のカメラ駆動装置
Ｄ４  ４台目のカメラ駆動装置
Ｄ５  ５台目のカメラ駆動装置
Ｄ６  ６台目のカメラ駆動装置
Ｄｎ  ｎ台目のカメラ駆動装置
Ｐ１  直流安定化電源装置
Ｓ１  遅延開閉装置
Ｇ１  第１のグループ
Ｇ２  第２のグループ
Ａ１  ＡＣ電源コネクタ
Ｓ１１  遅延開閉装置内の開閉器
Ｓ１２  遅延開閉装置内の制御回路
Ｓ１３  遅延開閉装置内の遅延回路
【図１】
2009159702.tif 000003
【図２】
2009159702.tif 000004
【図３】
2009159702.tif 000005